(57)【要約】      （修正有）【課題】４階以上の高階層の住宅に、広い設置空間が要求され且つ設備コストを高くする受水タンクを使用せずに高階層のスプリンクラーへの消火水を供給でき、しかも高階層の住居室に生活水を供給でき、更にスプリンクラー作動前の有効な初期消火作業を可能とする消火水の供給設備を提供する。【解決手段】水道メーター１ａの下流位置で生活水管２と消火水用水管とに分岐し、同消火水用水管に加圧ポンプＰと電動三方弁４と手動三方弁８を介して各階層のスプリンクラーと接続した消火水管に接続し、電動三方弁４は加圧ポンプＰの高圧水を常時高圧生活水管１８に接続し、火事センサーの火事信号が制御装置１７ａに入力されると電動三方弁４は高圧水が消火水管３へ送るように切替える。【選択図】図２
0003210496.tif 000002
【実用新案登録請求の範囲】
【請求項１】
複数階の住宅の水道管の水道メーターより下流の位置に、室内の水廻り設備に生活用水を供給する生活水管と，部屋に設けたスプリンクラーヘッドに消火用水を供給する消火水管とを分岐して設け、分岐された前記消火水管の分岐点に近い上流位置に水道水の水圧を加圧して出力する電動の加圧ポンプを設け、同加圧ポンプの出力水を常時は非連通の閉の状態としている電動開閉弁を介してスプリンクラーヘッドの消火水管に接続し、同加圧ポンプの作動と停止の制御及び電動開閉弁を開閉制御できる制御装置と，住宅の室内又は建物に発生した火事を検出できる火事センサーを住宅に複数個所に設け、前記制御装置は前記火事センサーからの火事の検出信号によって、又は住宅が火事と判断された場合の外部からスプリンクラーを強制作動させる手動操作スイッチによる作動信号によって、又は住宅の火事の発生を外部から監視する監視装置からの火事検出信号によって、あるいは高圧水を消火水管に強制送水するための住宅内に備えた火事消火のための手動操作の強制送水スイッチの操作信号によっていずれかの検出信号・作動信号又は操作信号の信号入力によって、前記加圧ポンプを作動状態とし且つ電動開閉弁を開いて加圧ポンプの高圧水をスプリンクラーに通じた消火水管へ送水できるようにし、消火用水槽タンクの設置を不要にして安価に住宅の高所まで消火水を確実に供給できるようにした、消火水の供給設備。
【請求項２】
前記電動開閉弁に電動三方弁を使用し、同電動三方弁は加圧ポンプの出力側の高圧水の送水ポートと，消火水管とつながった消火水ポートと，高圧水の生活水を供給する高圧生活水管とつながる高圧生活水ポートとを有し、常時は送水ポートを高圧生活水ポートと接続していて、前記制御装置は火事を示す前記信号が入力されると、前記加圧ポンプを作動させるとともに前記電動三方弁の送水ポートを消火水ポートに接続するように作動させ、更に前記加圧ポンプを作動／停止するポンプ手動スイッチを独立に備え、同ポンプ手動スイッチの作動信号によって又は高圧生活水管の水圧の圧力低下又は流出水量を検出する高圧生活水センサーを設けてその高圧生活水センサーの検出信号によって加圧ポンプを作動させることで非火事の日常生活においても高圧生活水管から高圧水を使えるようにした、請求項１記載の消火水の供給設備。
【請求項３】
前記火事センサーが、室内の温度から火事であることを感知する温度センサー、スプリンクラーの熱感知器の感知作動から火事を感知する熱検出センサー、室内の煙から火事であることを感知する煙検出センサー、火事の火炎を認識して火事であることを感知する火炎センサー、常時は消火水で充満している消火水管に取付けられてその消火水の水圧の低下を検出する圧力センサー、常時は消火水で充満している消火水管に取付けられて消火水の流量の増大を検出する流量検出センサーのいずれか一種又は複数種の組み合せたものである、請求項１又は２記載の消火水の供給設備。
【請求項４】
リールで巻き取り可能な開閉ノズル付きの散水管を住宅の各階層内の消火水管・高圧生活水管又は水道水管に非常用水栓を介して接続した、請求項１〜３いずれか記載の消火水の供給設備。
【請求項５】
消火水管のスプリンクラーヘッドより上流の位置に手動切換弁を介して水抜き管を分岐し、同手動切換弁はその分岐点の下流側の消火水管を水抜き管側又は電動開閉弁側に切り替えられ且つ常時は電動開閉弁側に連通するように設定された、請求項１〜４いずれか記載の消火水の供給設備。
【請求項６】
前記電動開閉弁が加圧ポンプの高圧水を消火水管側に連通させる時間を一定時間継続させた後非連通の閉状態とするタイマーを設け、高圧水のスプリンクラーヘッドからの放水を一定時間後停止させるようにした、請求項１〜５いずれか記載の消火水の供給設備。
【考案の詳細な説明】
【技術分野】
【０００１】
本考案は、住宅に使用されるスプリンクラー等に消火水を水道水から供給する消火水の供給設備に関する。
【背景技術】
【０００２】
従来、住宅用のスプリンクラー装置としては、例えば特許文献１，２に開示されているものがある。この技術は、室内の水廻り設備に水圧が０．２ＭＰａ程の水道水を生活用水として供給する生活水管の途中に部屋のスプリンクラーヘッドに消火用水を供給する消火水管を分岐して設け、その消火水管の途中に常閉の電動切換弁を設け、部屋に設置した感知器が熱又は煙を感知すると電動切換弁を開くように制御する制御装置を設けたことを特徴としている。
【０００３】
しかしながら、前記いずれの技術では、水廻り設備の使用中にスプリンクラー装置が作動すると、消火水管の水圧が低下してスプリンクラーヘッドの散水が弱まることがあった。この水圧低下を防止するために、スプリンクラーヘッドの散水中は生活水管を遮断することが考えられる。
【０００４】
ところで、火災の初期段階や小規模な火災ではスプリンクラーヘッドの散水を待つことなく、人力で放水して早期に消火できることがある。この場合、生活水管を遮断していると水廻り設備から水は出ないから、人力による消火活動はできない。また、感知器が熱又は煙を感知しても、スプリンクラーヘッドは一定温度まで上昇しないとノズルが開放して散水しない構造であるから、その間に火災が拡大することもある。
【０００５】
住宅が３階以上になると、高い階層の室での水道水の水圧は大巾に低くなって、スプリンクラーからの消火水の放水又は散水の水量及び放水流速が低下して消火水としての消火力が大巾に低減する。
更に、３階以上の住宅で高い階の室で火事が発生した場合、水道水の水を用いてホースで地上から放水しても高い階室まで放水が届きにくく、又届いても流速及び水量は低いので、地上からの水道水のホースからの放水による火事の初期鎮火も難しいものであった。
【０００６】
かかる問題点を解消すべく、３階以上の高層の住宅・マンションでは水道水の水を水タンクに一旦貯えて、同水タンクの水をポンプで水圧を高めて高階層の室・スプリンクラーへ送水するようにしている。特許文献３にその公報例がある。
【０００７】
しかしながら、この構造では地上に水タンクを設置しなくてはならず、その水タンクの設置面積として車一台分の駐車面積程が必要で、しかも水量に応じて水タンクの高さも高くなり、都市の密集した住宅街ではその面積・空間の確保が難しい状態にあり、併せて水タンクの設置コストは基礎工事・水タンク等の費用が嵩んでコストが大巾に高いものとなり、そのため普及せずに火事の早期鎮火が難しく、都市で火事の延焼を生起する原因となっていた。
【先行技術文献】
【特許文献】
【０００８】
【特許文献１】特開２００９−４５４１７号公報
【特許文献２】特開２００９−１００８２４号公報
【特許文献３】特開２０１２−１０５９２０号公報
【考案の概要】
【考案が解決しようとする課題】
【０００９】
本考案が解決しようとする課題は、従来のこれらの問題点を解消し、水タンク・受水槽を使用せずに安価で住宅が密設した住宅街で利用でき、消火水管に高圧水を供給でき、火災の初期段階や小規模な火災時に水道水を効果的に使用して消火できるようにすることにある。
【課題を解決するための手段】
【００１０】
かかる課題を解決した本考案の構成は、
１）  複数階の住宅の水道管の水道メーターより下流の位置に、室内の水廻り設備に生活用水を供給する生活水管と，部屋に設けたスプリンクラーヘッドに消火用水を供給する消火水管とを分岐して設け、分岐された前記消火水管の分岐点に近い上流位置に水道水の水圧を加圧して出力する電動の加圧ポンプを設け、同加圧ポンプの出力水を常時は非連通の閉の状態としている電動開閉弁を介してスプリンクラーヘッドの消火水管に接続し、同加圧ポンプの作動と停止の制御及び電動開閉弁を開閉制御できる制御装置と，住宅の室内又は建物に発生した火事を検出できる火事センサーを住宅に複数個所に設け、前記制御装置は前記火事センサーからの火事の検出信号によって、又は住宅が火事と判断された場合の外部からスプリンクラーを強制作動させる手動操作スイッチによる作動信号によって、又は住宅の火事の発生を外部から監視する監視装置からの火事検出信号によって、あるいは高圧水を消火水管に強制送水するための住宅内に備えた火事消火のための手動操作の強制送水スイッチの操作信号によっていずれかの検出信号・作動信号又は操作信号の信号入力によって、前記加圧ポンプを作動状態とし且つ電動開閉弁を開いて加圧ポンプの高圧水をスプリンクラーに通じた消火水管へ送水できるようにし、消火用水槽タンクの設置を不要にして安価に住宅の高所まで消火水を確実に供給できるようにした、消火水の供給設備
２）  前記電動開閉弁に電動三方弁を使用し、同電動三方弁は加圧ポンプの出力側の高圧水の送水ポートと，消火水管とつながった消火水ポートと，高圧水の生活水を供給する高圧生活水管とつながる高圧生活水ポートとを有し、常時は送水ポートを高圧生活水ポートと接続していて、前記制御装置は火事を示す前記信号が入力されると、前記加圧ポンプを作動させるとともに前記電動三方弁の送水ポートを消火水ポートに接続するように作動させ、更に前記加圧ポンプを作動／停止するポンプ手動スイッチを独立に備え、同ポンプ手動スイッチの作動信号によって又は高圧生活水管の水圧の圧力低下又は流出水量を検出する高圧生活水センサーを設けてその高圧生活水センサーの検出信号によって加圧ポンプを作動させることで非火事の日常生活においても高圧生活水管から高圧水を使えるようにした、前記１）記載の消火水の供給設備
３）  前記火事センサーが、室内の温度から火事であることを感知する温度センサー、スプリンクラーの熱感知器の感知作動から火事を感知する熱検出センサー、室内の煙から火事であることを感知する煙検出センサー、火事の火炎を認識して火事であることを感知する火炎センサー、常時は消火水で充満している消火水管に取付けられてその消火水の水圧の低下を検出する圧力センサー、常時は消火水で充満している消火水管に取付けられて消火水の流量の増大を検出する流量検出センサーのいずれか一種又は複数種の組み合せたものである、前記１）又は２）記載の消火水の供給設備
４）  リールで巻き取り可能な開閉ノズル付きの散水管を住宅の各階層内の消火水管・高圧生活水管又は水道水管に非常用水栓を介して接続した、前記１）〜３）いずれか記載の消火水の供給設備
５）  消火水管のスプリンクラーヘッドより上流の位置に手動切換弁を介して水抜き管を分岐し、同手動切換弁はその分岐点の下流側の消火水管を水抜き管側又は電動開閉弁側に切り替えられ且つ常時は電動開閉弁側に連通するように設定された、前記１）〜４）いずれか記載の消火水の供給設備
６）  前記電動開閉弁が加圧ポンプの高圧水を消火水管側に連通させる時間を一定時間継続させた後非連通の閉状態とするタイマーを設け、高圧水のスプリンクラーヘッドからの放水を一定時間後停止させるようにした、前記１）〜５）いずれか記載の消火水の供給設備
にある。
【考案の効果】
【００１１】
日常の生活のための水道水は、水道メーターの下流で分岐された生活水管へ送られ、各階の室の台所・トイレ・浴室等へ配給され、日常生活に支障がないようになっている。一方、水道メーターの下流で分岐された他方の水道管の０．２ＭＰａ程の水道水は加圧ポンプに送られる。火事でない常時は加圧ポンプは作動せずに且つ電動開閉弁は火事でない常時は非連通の閉状態であり、加圧ポンプの高圧水はスプリンクラーに絡がる消火水管には送られない。
そして、スプリンクラーの一部が作動することで消火水管の水圧の低下・流量の増加等があれば圧力センサー，流量検出センサーが感知して、又は火事によって温度検出センサー，火炎検出センサー，煙検出センサー等の火事検出センサーから火事を検出したことを示す信号が制御装置に入力されることで、あるいは建物に設置された強制送水の手動操作スイッチによって加圧ポンプを作動させて且つ電動開閉弁を作動させると、加圧ポンプは高圧水（０．４５ＭＰａ程）を消火水管に送水し、消火水管から各階層のスプリンクラーへ高圧水を送って火事を感知したスプリンクラーから散水・放水して火事を効果的に鎮火させ又は延焼を防ぐ。消火水管の水圧は０．４５ＭＰａ程の高圧であるので、３〜９階程まで高圧水の水圧で圧送でき、しかもスプリンクラーからの散水・放水の流速が速く且つ放水する消火水の流量も多いので、消火力が高く且つ広範囲の消火ができる。
【００１２】
又、本考案では実施例に示すように前記電動開閉弁に電動三方弁を採用し、しかも加圧ポンプの出力の高圧水の送水ポートを常時は高圧生活水ポート側に連通させ、消火水ポート及びこれに接続している消火水管へは高圧水は常時は送らないように閉鎖している。この状態において、加圧ポンプのポンプ手動スイッチの操作によって又は高圧生活水の水圧の低下又は流出水量を検出する高圧生活水センサーの作動によって加圧ポンプを作動させ、その高圧水を高圧生活水管へ送り込んで高圧生活水管の蛇口から高圧水を使用できるようにできる形態もある。この形態では、この高圧生活水管の蛇口にホースを接続することでこのホースで建物の火事現場の高階層の室・建物外部に向けて消火水を放水できる。これはスプリンクラーが不作動で火事・火元があることを発見した場合、有効な初期消火となる。
【００１３】
この高圧生活水は加圧ポンプのみを作動させることで、電動三方弁の常開の高圧生活水管の蛇口から日常的に使用できる。その使用例としては車・建物壁・住宅の屋根・屋根の太陽光発電パネル・その他の機器等の高圧洗浄水として使用され、又は遠方の庭木・園芸植物への水の給水等に使用できる。
【００１４】
本考案の前記４）記載の構成によれば、各階層にある消火水管路に接続した散水管をリールから火元付近まで引き出し、その先端部にある開閉ノズルを開いて消火水管から高圧水を放水することができ、火元に直接放水しやすくなり、効率的に消火活動できる。
【００１５】
本考案の前記５）記載の構成によれば、スプリンクラーの使用後に手動切換弁を水抜き管側に連通させると、消火水管に残った消火用水が逆流して水抜き管で排水される。よって、未使用時の消火水管は常に空となり、長期間使用しなくても消火水管の腐蝕・劣化又は水洩れを防止でき、耐久性を高めることができる。
【００１６】
本考案の前記６）記載の構成によれば、タイマーでスプリンクラーの散水時間を一定時間（例えば、消防車が火災現場に到着するまでに要する平均時間である１５〜２５分）に設定すると、タイマーの作動後は制御装置が電動開閉弁の消火水管側を閉じて高圧生活水管側に開き、火災の状況に係わらず散水が自動的に停止し、過剰な散水による室内の消火水による損害を軽減できる。
【図面の簡単な説明】
【００１７】
【図１】図１は実施例の住宅のスプリンクラーの設置状態を示す説明図である。
【図２】図２は実施例の水道水と消火水と高圧生活水の水路を示す説明図である。
【図３】図３は実施例の制御装置の内部ブロックを示す説明図である。
【図４】図４は実施例のスプリンクラーの消火水の使用状態と高圧生活水の使用状態とを示す説明図である。
【図５】図５は実施例のスプリンクラーの散水試験を示す説明図である。
【図６】図６は制御装置の火事検出時の作動プログラムのフローチャート図である。
【図７】図７は実施例の本考案の他の例を示す説明図である。
【考案を実施するための形態】
【００１８】
本考案の加圧ポンプによる水圧は、通常水道水の０．２ＭＰａから０．４５ＭＰａ程に増圧する。０．４５ＭＰａの水圧は９階建の住宅・マンションの９階の室まで水道水を送水できる。この増圧値は住宅の階数で適切に決定する。
本考案の制御装置としては、各種火事センサー信号，操作信号，外部からの火事警報・火事情報及び機器の信号を入力して、加圧ポンプを作動・停止及び電動開閉弁の動作信号を機器に出力して操作するものであり、小型コンピュータをプログラムソフトで作動させることもできるし、又は電子回路又はリレー器のシーケンシャル回路等でも製作できる。
又、請求項６記載の加圧ポンプの高圧水の送水時間を規制するタイマーは、コンピュータを用いて設定時間の間だけ加圧ポンプを作動させるように内蔵時計とプログラムソフトでできるし、又は加圧ポンプの電源回路に通電時から時間カウントして設定時間後に流れを切断するタイマー装置を用いてもよい。
【００１９】
消火水管の管内水は、非火事の場合でもスプリンクラーまで水を充満させる場合と、管内水を排水して常時は空にする場合とがあり、後者の場合は火事であることを示す各センサーの信号又は外部からの消火水送水の信号が制御装置に入力されると、加圧ポンプを作動させて且つ電動開閉弁の開にして消火水管・スプリンクラーに高圧水を送り込むようにする。本考案では両方の場合を含むものである。本実施例では水充満でも空にも選択できる。そして、消火水管の圧力センサーによる水圧の低下又は流量検出センサーによる流量の増加は、前者の消火水管に水を常時充満している場合の火事センサーである。後者の消火水管を常時空にする場合における火事を示す火事センサーとしては、スプリンクラーの熱感知器の熱センサー，室内の火事の煙を感知する煙検出センサー，室内の温度を測定する温度検出センサー、火炎を感知できる火炎検出センサーが主たる検出センサーとなる。
実施例では、手動三方弁８の開閉操作によって下流の消火水管の管内を空状態にも、水で充満させた状態にもいずれにもできる。
【００２０】
本考案の各階層の非常用水栓としては、バルブや蛇口等があり、その非常用水栓には散水管を接続したり、バケツを常備しておいてもよい。散水管としては、ホースのみのものや、ホースの先端に開閉ノズルを備えたものがある。非常用水栓を設ける場所としては、例えば１階では玄関と台所の途中位置、３〜６階ではエレベーターの出入り口付近など、火元となりやすい位置から離れた場所に且つ容易にその存在を確認できるように設けられる。
【００２１】
以下、本考案の実施例を図面に基づいて具体的に説明する。
【実施例】
【００２２】
図１〜５に示す実施例は、４階建ての住宅の各階にスプリンクラーを設置した例である。そして、本考案の電動開閉弁として電動三方弁４を使用し、又消火水管３に手動三方弁８を使用した手動切換弁を介して水抜き管７を分岐して消火水管３を平時は排水して中空にして消火水管の劣化・水洩れをなくす。更に、各階の消火水管３にリール６ａで巻き取り可能な開閉ノズル付の散水管６ｂを非常用水栓６を介して接続して、各階でリール式の開閉ノズル付の散水管で初期消火できるようにしている。又、前記電動三方弁４の高圧生活水ポート４ｃに接続された高圧生活水管１８にはホースが取付けられた屋外の蛇口を設け、高圧水道水を初期消火のホース放水を可能とし、非火事の日常で車の洗車，住宅外壁の洗浄，遠方まで届く植木・庭植植物への給水用として使用可能としている。
【００２３】
更に、加圧ポンプＰの出力の消火水管位置と電動三方弁４と手動三方弁８の下流側とを結ぶバイパス管１１の途中に第２手動弁１０を設けて、電動三方弁４が故障又はセンサーの不作動の場合でも加圧ポンプの高圧水を消火水管３へ送り込んで、スプリンクラー・リール付散水管から高圧の消火水を噴出できるようにしている。そして、第２手動弁１０と手動三方弁８とによって、装置の点検用にも使用できる。
そして、本実施例の火事を示す火事センサーＫとしては部屋の熱又は煙を感知するスプリンクラー用の感知器１２を配置し、感知器１２が火事の熱・煙を検出するとその検出信号を制御装置１７ａに入力し、加圧ポンプＰと電動三方弁４を作動し、加圧ポンプＰの０．４５ＭＰａ程の高圧水を消火水管３へ送り込むようにした例である。
【００２４】
図１〜５の図中、１は０．２ＭＰａ程の水圧の水道管、１ａは水道メーター、２は生活水管、３は消火水管、４は電動三方弁（電動切換弁）、４ａは電動三方弁４の送水ポート、４ｂは消火水ポート、４ｃは高圧生活水ポート、４ｄは電動三方弁を開閉作動させる駆動部、５はスプリンクラーヘッド、６は非常用水栓、６ａはリール、６ｂは散水管、７は水抜き管、８は手動三方弁（手動切換弁）、９は常開（連通）の第１手動弁、１０は常閉の第２手動弁、１１はバイパス管、１２は熱と煙の感知器、１３は受信機、１４は警報ブザー、１７は防災弁ユニット、１７ａは制御装置、１８は高圧生活水管、１８ａは同高圧生活水管１８に設けた蛇口、１８ｂはホース、１８ｃはホース１８ｂの先端に取付けた開閉器付ノズル、１９はポンプ手動スイッチ、２０は高圧生活水管１８の水圧の低下を検出する圧力センサーである高圧生活水センサー、２１は非火事時のポンプ手動スイッチである。Ｒは部屋であり、Ｂは４階建の住宅、Ｐは水道水を０．４５ＭＰａ程増圧する加圧ポンプである。
【００２５】
又、制御装置１７ａを示す図３中、Ｋは火事センサー、Ｋ１は感知器１２とは別に屋内に配置された火事熱を検出する温度検出センサー、Ｋ２は同じく煙検出センサー、Ｋ３は火炎検出センサー、Ｋ４は消火水管３に水を充満させる場合の同じく消火水管３の高圧の消火水の圧力センサー、Ｋ５は同じく消火水管３の水の流量検出センサー、Ｋ７はスプリンクラーの強制作動の手動操作スイッチ、Ｋ８は外部から住宅Ｂの火事の発生の有無を監視して火事の発生をその住宅の制御装置１７ａに送信する監視装置、Ｋ９は高圧水の強制送水スイッチであり、その具体的配置及び構造については省略している。
【００２６】
又、制御装置１７ａは火事センサーＫのスイッチの信号で消火水路、高圧生活水の流れを制御するもので、コンピュータを用いてプログラムソフトで制御するもので、ＣＮ１はＣＰＵ、ＣＮ２はソフト等を記憶するＲＯＭ、ＣＮ３はデータ入力信号とその時刻等を記憶するＲＡＭ、ＣＮ４はＤＣ電源装置、ＣＮ５はバッテリー、ＣＮ６は入力信号・操作信号等のデータの時刻を記憶させるための時計でタイマー機能を有し、ＣＮ７〜１０は周辺機器とのインターフェースである。
【００２７】
本実施例は、図１，２に示すように、水道管１の水道メーター１ａより下流の位置に生活水管２と消火水管３を分岐して設け、消火水管３の分岐点近くにポンプＰと電動三方弁４と手動三方弁８とを直列に設け、消火水管３は各階の天井裏に配管して天井のスプリンクラーヘッド５と接続している。各階の消火水管３には非常用水栓６を設け、その非常用水栓６にリール６ａで巻き取り可能な開閉ノズル付きの散水管６ｂを接続している。
【００２８】
消火水管３のスプリンクラーヘッド５より上流の手動三方弁８に近い位置には水抜き管７を分岐して設け、その分岐点に下流側の消火水管３との連通を水抜き管７側又は電動三方弁４側に切り替える手動三方弁８を設けている。電動三方弁４と水道メーター１ａの分岐位置の間には加圧ポンプＰと元栓である常開の第１手動弁９を直列に設け、同第１手動弁９と電動三方弁４との間の消火水管３と手動三方弁８の下流位置の間には常閉の第２手動弁１０を備えたバイパス管１１を配管している。
【００２９】
各階の部屋Ｒの天井には熱又は煙を感知するスプリンクラー用の感知器１２を設置し、１階の壁面には各感知器１２の感知を無線で受信する受信機１３を設置し、各階の部屋Ｒの壁面には警報ブザー１４を設置している。室外には前記電動三方弁４・手動三方弁８・第１手動弁９・第２手動弁１０・バイパス管１１・制御装置１７ａを収容した防災弁ユニット１７を設置している。
【００３０】
その防災弁ユニット１７の制御装置１７ａは、受信機１３の受信を感知信号を入力すると警報ブザー１４を発音させる。又、火事センサーＫの他の信号と併せて制御装置１７ａに入力させて火事を示す信号があれば加圧ポンプＰを作動させ、同時に電動三方弁４の送水ポートを消火水ポートに連通し、加圧ポンプＰで高圧にされた高圧水を消火水管３へ送り込む。一方、高圧生活水ポートを閉じる。タイマーとして設定した時間（この例では２０分とする）を経過すると、加圧ポンプＰ及び警報ブザー１４を停止させ、電動三方弁４の作動により送水ポートを高圧生活水ポートに接続して高圧生活水管１８側に連通する制御を備えている。
【００３１】
本実施例では、図４（ａ）に示すように、平時は電動三方弁４の消火水管３側が閉じて高圧生活水管１８側が開き、高圧生活水が高圧生活水管１８で使用できる。これによって、火事センサーＫ等が作動しない火事の初期において、高圧生活水管１８の高圧水を用いてその蛇口１８ａ、ホース１８ｂ、ノズル１８ｃを介して火事現場に向けて０．４５ＭＰａの高圧水を放水・散水すれば初期消火が効果的に行える。
又、通常の水道水の生活水管２から低い１〜３階の室内の浴槽・台所・洗面所・トイレ等の水廻り設備に水道水が供給される。尚、手動三方弁８は、予め電動三方弁４側に切り替えて消火水管３と連通させ、第２手動弁１０は閉じておく。
【００３２】
感知器１２が６０℃程の熱又は煙を感知すると、受信機１３がこれを受信して警報ブザー１４が発音するとともに、その信号は制御装置１７ａに入力され、加圧ポンプＰが作動し、図４（ｂ）に示すように電動三方弁４の消火水管３側が開いて高圧生活水管１８側が閉じ、高圧水が消火水管３に流れてスプリンクラーヘッド５まで充水する。天井面の温度が７２℃以上に上昇してスプリンクラーヘッド５のノズル（図示せず）を閉塞している半田（図示せず）が溶解すると、ノズルが開放されて散水する。
【００３３】
ここで、感知器１２の感知後は消火水管３に水道水が直ぐに充水するから、火災の初期段階や小規模の火災時の場合、警報ブザー１４の発音で気づいた居住者が非常用水栓６を開いてリール６ａを長く引き伸ばして散水管６ｂで火元に直接放水でき、人力で確実な消火活動できる。また、その非常用水栓６は各階に１箇所のみ設けているから、スプリンクラーヘッド５の散水中に水道水を出しても消火水管３の水圧は低下しにくい。
【００３４】
散水がタイマー設定時間の２０分間継続すると制御装置１７ａのプログラムソフトのタイマーが作動して警報ブザー１４が停止し、電動三方弁４の消火水管３側が閉じて高圧生活水管１８側が開き、散水が停止する。人力で消火活動してスプリンクラーヘッド５が散水する前に早期に消火された場合、散水しない状態が２０分間継続して警報ブザー１４が停止し、電動三方弁４の消火水管３側が閉じて高圧生活水管１８側が開く。
【００３５】
その消火作業完了後は、図４（ｃ）に示すように、手動三方弁８を水抜き管７側に切り替えて消火水管３と連通させると、消火水管３内に残った水道水が逆流して水抜き管７で排水され、消火水管３は空となる。残った水道水が全て排水されると、手動三方弁８を電動三方弁４側に切り替えて消火水管３と連通させる。よって、次回まで長期間使用しなくても、消火水管３の内部は中空であるので、消火水管３の腐蝕や劣化を防止できる。
【００３６】
火事が発生した場合に何らかの原因で電動三方弁４や受信機１３が作動しなかったり、バッテリーＣＮ５が切れて制御装置１７ａが作動しない場合は、図５（ａ）に示すように第２手動弁１０を開くと、加圧ポンプＰの高圧水がバイパス管１１を経由して消火水管３に直接流れ、スプリンクラーヘッド５から散水させることができる。この場合も非常用水栓６を開いて散水管６ｂで消火活動できる。
【００３７】
手動三方弁８は、排水だけでなく装置の点検用としても使用される。図５（ｂ）に示すように、手動三方弁８を水抜き管７側を上流側の消火水管３と連通させた状態で感知器１２に熱を感知させると、正常の場合は警報ブザー１４が発音するとともに電動三方弁４の消火水管３側が開いて高圧生活水管１８側が閉じ、高圧水が水抜き管７にプログラムソフトのタイマーで設定した時間流れ続ける。水抜き管７から水道水が流れてこない場合は動作不良ということになる。このようにして、スプリンクラーヘッド５から実際に散水させることなく点検することもできる。
【００３８】
実施例の制御装置１７ａについて、その動作を説明する。この制御装置１７ａは火事センサーＫ，監視装置Ｋ８，強制送水スイッチである手動操作スイッチＫ７，火事消火用強制送水スイッチＫ９，圧力センサーＫ４，高圧生活水水管１８の管水の圧力センサー２０，非火事時のポンプ手動スイッチ２１，感知器１２，同感知器以外の温度検出センサーＫ１，煙検出センサーＫ２，カメラの室内画像から火炎を検出する火炎検出センサーＫ３等の火事を検出する各種センサー及び手動操作のスイッチ信号を入力して電動三方弁４，加圧ポンプＰの制御を行っている。
この制御は小型コンピュータを使用して制御するもので、小型ＣＰＵ（ＣＮ１）と，各種プログラムとデータを記憶したＲＯＭ（ＣＮ２）と，メモリＲＡＭ（ＣＮ３）と，時刻の記憶とタイマー計算用の時計（ＣＮ６）等とを各種インターフェース１，２，３，４（ＣＮ７〜１０）を介してＣＰＵ（ＣＮ１）処理可能としている。
【００３９】
図６は制御装置１７ａが火事を検出した場合の処理フローを示す。
まず、火事センサーＫ，スプリンクラー用の感知器１２が熱・煙・高温を感知してその信号を出力して制御装置１７ａに入力する。入力された信号はインターフェース１〜４（ＣＮ７〜１０）を介して火事検出センサーＫ・感知器１２等のＩＤ・設置階層・室番号の情報とともにＲＡＭ（ＣＮ３）にその時計（ＣＮ６）の信号入力時刻とともに記憶される。制御のプログラムソフトはＲＯＭ（ＣＮ２）に記憶されていて、火事検出の信号が入力すると上記の火事検出センサーのＩＤと入力時刻が記憶され、間違いなく火事と判断されると加圧ポンプＰを起動し、又電動三方弁４に駆動命令をその駆動部４ｄに出力して、送水ポートを消火水ポートに接続させて、高圧水を消火水管３へ送り込んで、スプリンクラーヘッド５から水を散水して消火する。
【００４０】
同時に時刻が火事信号入力の時刻時点から２０分程の設定時間になっているか現在時刻を確認し、設定時間経れば加圧ポンプＰを停止し、又電動三方弁４の送水ポートを高圧生活水ポート側に接続するようにして、消火水の散水・放水を設定時間で停止して、室内の必要以上の水びたしにならないようにしている。
【００４１】
図７に示す例は本考案の他の例で、図１〜６に示す実施例が４階建ての住宅で１〜３階まで水道管１が生活水管として配管されていたに対し、図７の他の例の住宅は６階建てで１〜３階まで水道管１が生活水管として配管されているが、４〜６階では高圧生活水管１８の水を０．２ＭＰａの水道水圧近くに減圧する減圧装置２２を介して生活水としている。しかも、この高圧生活水管１８には非常用水栓６を介してリール６ａ式の散水管６ｂを接続している。
この例では、室外側ポンプ手動スイッチ２１で加圧ポンプＰのみを作動させることで、非火事の常時に４階以上の階でも加圧ポンプＰの０．４５ＭＰａ程の高圧水を送り込んで、減圧装置２２を介して０．２ＭＰａ程に減圧して生活水として通常水道器具でもって使用できるようにし、高階の住宅でも容易に生活水を使用できる。又、この高圧生活水管１８にリール６ａ式の消火用の散水管６ｂを備えているので、各階層で散水管６ｂによる消火活動ができ、初期消火作業が効果的に行える。この他の例は、高層の住宅の火事に対しより効果的に消火できる。
【産業上の利用可能性】
【００４２】
本考案の技術は、戸建住宅・集合住宅等の一般住宅向けに利用される。
【符号の説明】
【００４３】
１    水道管
１ａ    水道メーター
２    生活水管
３    消火水管
４    電動三方弁（電動切換弁）
４ａ    送水ポート
４ｂ    消火水ポート
４ｃ    高圧生活水ポート
４ｄ    駆動部
５    スプリンクラーヘッド
６    非常用水栓
６ａ    リール
６ｂ    散水管
７    水抜き管
８    手動三方弁（手動切換弁）
９      第１手動弁
１０    第２手動弁
１１    バイパス管
１２    感知器
１３    受信機
１４    警報ブザー
１７    防災弁ユニット
１７ａ    制御装置
１８    高圧生活水管
１８ａ    蛇口
１８ｂ    ホース
１８ｃ    ノズル
１９    室内側ポンプ手動スイッチ
２０    高圧生活水センサー
２１    室外側ポンプ手動スイッチ
２２    減圧装置
Ｒ    部屋
Ｐ    ポンプ
Ｋ    火事センサー
Ｋ１    温度検出センサー
Ｋ２    煙検出センサー
Ｋ３    火炎検出センサー
Ｋ４    圧力センサー
Ｋ５    流量検出センサー
Ｋ７    スプリンクラーの強制作動の手動操作スイッチ
Ｋ８    監視装置
Ｋ９    強制送水スイッチ
ＣＮ１    ＣＰＵ
ＣＮ２    ＲＯＭ
ＣＮ３    ＲＡＭ
ＣＮ４    電源装置
ＣＮ５    バッテリー
ＣＮ６    時計
ＣＮ７，ＣＮ８，ＣＮ９，ＣＮ１０    インターフェース
【図１】
0003210496.tif 000003
【図２】
0003210496.tif 000004
【図３】
0003210496.tif 000005
【図４】
0003210496.tif 000006
【図５】
0003210496.tif 000007
【図６】
0003210496.tif 000008
【図７】
0003210496.tif 000009